(57)【特許請求の範囲】
【請求項１】
第１の筐体と第２の筐体とを軸受部を中心に折畳み自在に構成すると共に、前記第１、第２のいずれか一方の筐体の正面側、裏面側にそれぞれ互いに対向する放音孔を形成し、この放音孔の位置にスピーカを取りつけるとともに、
前記第１、第２のいずれか他方の筐体の正面側に、前記第１、第２の筐体を互いに折畳んだ状態で前記放音孔に対向する透孔を形成したことを特徴とする電子機器。
【発明の詳細な説明】
【０００１】
【発明の属する技術分野】
本発明は、ＰＤＡ、携帯電話機、簡易型携帯電話機（ＰＨＳ（登録商標））などの電子機器に関する。
【０００２】
【従来の技術】
一般に、ＰＤＡ、携帯電話機、簡易型携帯電話機（ＰＨＳ（登録商標））などの電子機器は、携帯に便利なように、図４〜図６に示すように、表示器１４を取り付けた第１の筐体１１とキーボード１５を取り付けた第２の筐体１２とを互いに軸受部１３によって回動自在に枢着し、第１、第２の筐体１１、１２を互いに折畳式にすることが多い。そして、このように折畳式にした場合には、第１、第２の筐体１１、１２を互いに折畳んだ状態でも、着信音が充分に大きく外部に発せられるようにするために、着信音を発するスピーカ１６を、第１、第２の筐体１１、１２を互いに折畳んだ状態で外側を向くように取り付ける必要があり、例えば、図６に示すように、第１の筐体１１の表示器１４を有する面とは逆の面に放音孔１７を形成し、この放音孔１７に対向するように第１の筐体１１に着信音を発するスピーカ１６を取り付けるようにしている。
【０００３】
【発明が解決しようとする課題】
しかしながら、この種の電子機器では、近年、薄型化が急速に進展しており、しかも、表示器１４は大型のものが要求されており、第１の筐体においては、その内部の空間が著しく少なくなり、スピーカ１６自体の駆動も困難になって、良好な特性を得られないという問題があった。
【０００４】
本発明は、以上のような従来の問題に鑑みてなされたものであり、簡単な構成で常に良好な特性を確保できるすぐれた電子機器を提供することを目的とするものである。
【０００５】
【課題を解決するための手段】
本発明の電子機器は、第１の筐体と第２の筐体とを軸受部を中心に折畳み自在に構成すると共に、第１、第２のいずれか一方の筐体の正面側、裏面側にそれぞれ互いに対向する放音孔を形成し、この放音孔の位置にスピーカを取りつけた構成とした。
【０００６】
この構成により、スピーカからの音声を筐体の正面側、裏面側の両方から放出することができ、筐体を開いた状態、折畳んだ状態、いずれの状態でもスピーカからの音声を効率よく聴取することができるという作用を有する。
【０００７】
また、本発明の電子機器は、第１、第２のいずれか他方の筐体の正面側に、第１、第２の筐体を互いに折畳んだ状態で放音孔に対向する透孔を形成した構成とした。
【０００８】
この構成により、第１、第２の筐体を互いに折畳んだ状態で第１、第２の筐体の間に隙間がなくても、第１、第２の筐体が互いに対向する放音孔、透孔を通して連通されることになり、スピーカが効率よく駆動され、充分な音声が外部に放出され得るという作用を有する。
【０００９】
【発明の実施の形態】
以下、本発明の実施の形態について図面を用いて説明する。
図１は、本発明の一実施の形態における電子機器の斜視図、図２は、同電子機器の折畳んだ状態の斜視図、図３は同電子機器の折畳んだ状態の要部断側面図である。
【００１０】
本発明の一実施の形態における電子機器は、図１〜図３に示すように、正面側に表示器４を取り付けた第１の筐体１と、同じく正面側に各種キー５を取り付けた第２の筐体２とを備え、第１、第２の筐体１、２は、軸受部３によって互いに回動自在に枢着されている。
【００１１】
そして、第１の筐体１の裏面側、すなわち、第１、第２の筐体１、２を互いに折畳んだ図２の状態で外側に位置する面側には、第１の放音孔６が形成され、この放音孔６に対向する第１の筐体１の内側には、着信音、通話音などを発するスピーカ７が取り付けられている。そして、更に、スピーカ７に対向して、第１の筐体１の正面側にも放音孔８が形成され、この放音孔８に対向する第２の筐体２の正面側にも透孔９が形成されている。すなわち、放音孔８と透孔９とは、第１、第２の筐体１、２を互いに折畳んだ図２の状態で、図３に示すように、互いに対向するように構成されている。
【００１２】
なお、図示していないが、放音孔６、８、透孔９には、それぞれ適宜音を通す網状の保護膜、飾り板などが取り付けられている。
【００１３】
本実施の形態における電子機器は、以上のように、第１の筐体１の正面側、裏面側にそれぞれ放音孔８、６を形成し、これらの放音孔８、６に対向する位置に着信音、通話音などを発するスピーカ７を取り付けるようにしており、第１の筐体１が薄型化し、表示器４が大型化して第１の筐体１内部の空間が小さくなっても、スピーカ７からの音声を第１の筐体１の正面側、裏面側にそれぞれ形成した放音孔８、６より効率よく放出することができ、常に、良好な音響特性を確保することができるという利点を有する。特に、本実施の形態では、第１の筐体１の正面側、裏面側にそれぞれ放音孔８、６を形成しているため、第１、第２の筐体１、２を互いに開いた状態（図１の状態）、閉じた状態（図２の状態）いずれの状態でも、スピーカ７からの音声を放音孔８、６を通して直接聴取することができ、大きな音で分かりやすく聴取することができるという利点を有する。
【００１４】
また、本実施の形態によれば、第２の筐体２の正面側の放音孔８に対向する位置に透孔９が形成されており、したがって、第１、第２の筐体１、２を互いに折畳んだ状態（図２の状態）で、第１、第２の筐体１、２間に隙間がなかった場合でも、第１、第２の筐体１、２内の空間が放音孔８、透孔９を通して互いに連通することになり、実質的にスピーカ７の背面に位置する空間が大きくなってスピーカ７が効率よく駆動されるという利点を有する。そして、このことは同時に、スピーカ７の音響特性を向上させることにつながり、良好な音響特性を確保できるという作用を有する。
【００１５】
尚、本実施の形態では、スピーカ７を放音孔６側に向けて取り付けているが、本発明は、これに限定されず、放音孔８側に向けて取り付けてもよい。また、本実施の形態では、スピーカ７、放音孔６、８を第１の筐体１に設け、透孔９を第２の筐体２に設けているが、スピーカ７、放音孔６、８を第２の筐体２に設け、透孔９を第１の筐体１に設けてもよいことは言うまでもないことである。
【００１６】
【発明の効果】
以上説明したように、本発明によれば、スピーカからの音声を筐体の正面側、裏面側の両方から放出することができ、筐体が薄型化され、内部の空間が少なくなっても、筐体を開いた状態、折畳んだ状態、いずれの状態でもスピーカを効率よく駆動することができ、スピーカからの音声を効率よく聴取することができるという利点を有する。
【図面の簡単な説明】
【図１】本発明の一実施の形態における電子機器の斜視図
【図２】本発明の一実施の形態における電子機器の第１、第２の筐体を互いに折畳んだ状態の斜視図
【図３】本発明の一実施の形態における電子機器の第１、第２の筐体を互いに折畳んだ状態の要部断側面図
【図４】従来の電子機器の斜視図
【図５】従来の電子機器の第１、第２の筐体を互いに折畳んだ状態の斜視図
【図６】従来の電子機器の第１、第２の筐体を互いに折畳んだ状態の要部断側面図
【符号の説明】
１  第１の筐体
２  第２の筐体
３  軸受部
４  表示器
５  キー
６  放音孔
７  スピーカ
８  放音孔
９  透孔
【図１】
0004170013.tif 000002
【図２】
0004170013.tif 000003
【図３】
0004170013.tif 000004
【図４】
0004170013.tif 000005
【図５】
0004170013.tif 000006
【図６】
0004170013.tif 000007